(57)【特許請求の範囲】
【請求項１】
和服を着用時に、和服の衿元から衿山線上部分が見える和装下着において、その地衿と半衿の隙間に挿入して使用する後入れ用の衿芯であって、和装下着の衿型であるバチ衿型形状で同型の2枚組からなり、左右２方向から挿入して使用し、それぞれの先入部分が衿の背中心を通過し、相対する衿肩回りで重なり合う2重構造となることを特徴とするバチ衿型形状の衿芯。
【請求項２】
前記バチ衿型形状の衿芯において、一方の幅が和装下着の背中心の衿幅に挿入することができる背中心の衿幅であり、もう一方側は地衿と半衿の隙間に挿入することができる最大の幅であることを特徴とする請求項1記載のバチ衿型形状の衿芯。
【発明の詳細な説明】
【技術分野】
【０００１】
本発明は、和服を着用時に、和服の衿元から衿山線上部分が見える和装下着において、その地衿と半襟の隙間に挿入して使用する後入れ用の衿芯に関する。
【背景技術】
【０００２】
従来の和装下着の衿は、和装下着の衿の長手方向に２つ折りした半衿を表裏両側に掛け、
着用時に衿の裏側と半衿との隙間に堅目のプラスチック製等の一本の長くて均一の幅の細い衿芯を挿入し、衿を補強する事により和装下着の衿山線上部分に張りをもたせ、美しい衿元を継続させるように形成されている。又、背面には衿の背中心部分から衿紋抜き布が逢着され、衿紋が抜かれた状態を保持するように形成されている。
【０００３】
しかしながら、和装下着の衿は背中心から長手方向の衿先に向かって、衿幅が広くなる形状のバチ衿と称される衿型であるから、衿肩まわり間は衿芯と衿幅がほぼ同寸法なので挿入した衿芯は衿の衿山線上部分に密着するが、衿に掛ける半衿は、おしゃれだけでなく衿の汚れ防止の目的も有し、掛けてあるので、衿全面を最大限に多い隠す形式をとってある。従って半衿の幅は和装下着の衿型であるバチ衿型形状に、衿先に向かって広くなっており、半衿の中で均一巾の従来の衿芯が幅移動をする遊びがあるので衿山線上部分からの衿芯のずれが生じ、張りのある美しい下着の衿が保持できず、柔らかくたるんでシワが生じ、着崩れるという問題があった。
【０００４】
その上、従来の衿芯は衿に掛けた半衿と衿裏側との隙間に一方の衿先方向から挿入し、背中心から左右対称の長さに固定されるのだが、衿の幅の一番狭い背中心を通過する為に、衿芯幅は衿の背中心に挿入出来る背中心の衿幅で均一である。このことが、衿芯が衿の衿山線上部分からずれる最大の要因となっている。
【０００５】
又、衿紋抜きの状態も時間の経過と共に、日常動作による着崩れが生じ、従来の長襦袢の
背中心部分に設けられている衿紋抜き布を頻繁に下方に引き下げて、衿紋抜きを抜き直す
という手間をかけなければ、衿紋は美しく継続できない。このことが着物は難しくて、着にくいと思われる最大の原因となっている。  
【０００６】
又、和服の構造は洋服と違い体の線や動きを余り考慮してないので、その大部分において
直線で縫い、平面で構成されており、日常動作には適してないので着崩れ易い。そして、
和装下着においては着用中、頻繁に体の前の衿合わせと、後ろの衿紋抜きの修正を繰り返
すのだが、上に着物を重ね、さらに上から帯を巻きつけ固定して、土台として下に着ている和装下着の着崩れを直すことは不可能に等しい。しかも和装で着崩れが一番起こりやすく、目立つのも衿合わせや、衿紋抜き等の衿周辺である。
【０００７】
このような問題を解決する為に、和装姿の土台ともなる和装下着の衿を張りのある美しい
衿元にする為や、確実な衿合わせが継続できて、衿紋抜きを保持する後入れ用の衿芯の考案がなされてきた。例えば特許文献１の衿がある。
【特許文献１】実開昭51−138221        衿芯
【０００８】
特許文献には、衿芯自体の強度を補強し、和装下着の衿を美しくする衿芯が開示されている。
【発明の開示】
【発明が解決しようとする課題】
【０００９】
しかしながら、特許文献1は衿芯の衿肩まわりを補強し、衿山線上に密着する形態を取っているが、衿幅に比べて背中心相当の衿芯幅では、やはり衿山線上からずれてシワやタルミを生じてしまう。
【００１０】
本発明は前記のような課題に鑑み、その課題を解決すべく創案されたものであって、その
目的とするところは和服を着用時に和服の衿元からの衿山線上部分が見える和装下着において、その衿に挿入した衿芯が時間経過や日常動作によって衿山線上から幅移動してズレを生じず、固定されることにより補強でき、衿山線上部分に適度な堅さを有して、シワやタルミのない美しい張りのある形状が維持でき、又、衿紋抜きを確実に保持する為に従来の衿紋抜き部分を補強することが出来るバチ衿型形状の2枚組みの衿芯を新たに開発し、和装下着の衿の美しい形状が、継続できる事を目的としている。
【課題を解決するための手段】
【００１１】
本発明は、和服を着用時、和服の衿元から衿山線上部分が見える和装下着の衿の地衿と半衿の隙間に左右衿先の2方向から挿入して使用し、それぞれの先入部分が背中心を通過して、衿肩回り付近で重なり合うことで衿芯自体を補強する事になり衿紋抜きが維持できる、又、和装下着の衿型であるバチ衿型形状であるので、地衿と半衿の隙間幅一杯に衿芯が挿入する形態になり、衿山線上部分からの巾移動がないので、シワやタルミを生じず、張りのある美しい衿山線上部分を継続して形成でき、又衿全体に適度な硬さを保持しているので、美しい衿合わせの維持が可能になり、前記課題を解決したものである。
【００１２】
以上の説明から明らかなように、本発明にあっては次に上げるような効果が得られる。
【００１３】
和服を着用時に和服の衿元から衿山線上部分が見える和装下着において、着用時に地衿と半衿の隙間に左右の衿先方向からそれぞれ挿入すると、和装下着と同形状のバチ衿型であるので、衿芯が衿の衿山線上部分に密着して、幅移動を防ぎ固定するので、シワやタルミが生じないという効果がある。故に衿の衿山線上部分は美しい張りと適度な硬さを有しており美しい衿を継続できる。
【００１６】
その上、従来の衿芯は背中心から左右に同寸法ずつに分割して挿入されるので半衿丈寸法に対して短くて適応できないが、本発明の衿芯を使用すると、それぞれの左右2方向から半衿丈の一杯に挿入される様に調節が可能であり、美しい衿合わせが確実になり、継続性を持って出来るので、簡単である。つまり本発明の和装下着の衿は首のくぼみ上で交差させ、交差角度が一番美しいとされる左右対称の65度〜90度に一度合わせると、着付け時はもちろん着用中に崩れることがない。和装下着の衿は和装着用時に着付けの土台ともなる部分であり顔の一番近くにあるので、着姿の要ともなる部分であるから、着付ける時には衿合わせに慎重になり、どうしても着付けに多大な時間を要していた。しかし、この衿であれば衿全体に適度な張りがあり、衿合わせが簡単な上に、美しい衿合わせの形が確実に保持出来るので、従来の半分の時間で着用が可能となり、大幅に着付け時間を短縮する効果がある。
【００１７】
又、本発明の衿芯は、和装下着の衿と同型のバチ衿型形状の2枚組みの衿芯であるので、和装下着の衿に掛けてある半衿をそのまま利用して衿と半衿との隙間に挿入できる。したがって、すでに何度も着用済みで着古し、衿山線上部分が緩み、張りが無くなった和装下着でも、本明の衿芯を使用するだけで新品同様の美しい張りのある和装下着の衿元を作る事が出来る効果がある。
【００１８】
さらに、本発明の衿芯を左右の衿先から挿入すると、半衿と地衿との隙間がバチ衿型形状であるので、その隙間巾一杯に衿芯全体が装着され、従来の衿と半衿の隙間に使用する時と比べてゆるみや遊びがないので、衿の衿山線のみならず、衿全体が適度な堅さを有していて美しい衿型を継続できる。  
【００１９】
又、和服着用時には衿元や衿紋抜きの着崩れを直す度に、従来、和装下着の衿の背中心に有している衿紋抜き布を頻繁に引き下げて、衿紋抜きを保持しなければならない。その為に衿芯の衿肩まわりには付加がかかる。従来の衿芯にも衿肩まわりを二重組織で補強した衿芯が考案されているが、本発明のバチ衿型形状の２枚組の衿芯はその構造上、無理なく衿肩まわりを補強できる効果がある。
【００２０】
つまり、本発明のバチ衿型形状の2枚組み衿芯は早くて簡単に、着崩れにくい和装下着の着付けを提供出来る。
【発明を実施するための最良の形態】
【００２１】
本発明の衿芯とは、和服を着用時に和服の衿元から衿山線上部分の見える和装下着において、着用時に地衿と半衿の隙間に挿入する後入れ用衿芯とする。
【００２２】
本発明のバチ衿型形状の2枚組衿芯を地衿と半衿の隙間に挿入した時に、バチ衿型2枚組衿芯は衿と同型で同等幅である上に、左右の衿先2方向から挿入し、それぞれ2枚が背中心3xを越えて、相対する衿肩まわりまでに至り、衿肩回りの部分ではバチ衿型形状の2枚組み衿芯先入部分が重なりあった2重構造になり、和装下着の衿丈に応じて固定されるので、衿芯挿入口4aや4bから下がって、出てくる事は有り得ないので安心である
【００２３】
又、従来の衿芯同様に、地衿と半衿の隙間に、左右2方向からそれぞれ挿入して使用でき、衿の表裏どちらでも可能である。
【００２４】
本発明のバチ衿型形状の2枚組衿芯の形状は、それぞれ2枚の衿芯は同型であり、１枚の全長は50cm〜65cmとし、より好ましいのは55cm〜60cmである。その先入部分は従来の衿芯と同様に斜めに先細り、丸みを帯びていて挿入しやすい型としている。また後入部も、底辺部の底辺が平らで、角に丸みを帯びた形状でもよいが、衿付け線側は体の胸部に位置するので、山形に丸みを帯びた形状が最適である。
【００２５】
そして、衿丈の約三分の一である16cm〜24cmまでは衿幅の最小である背中心を通過できる最大の幅である従来の衿芯同等の3・8cm〜4.5cmの均一幅であり、衿芯の後入底辺部に向かっては、衿型と同形状のバチ衿型に広がっている。衿芯の底辺の幅7fは半衿の衿先の衿芯挿入部分4cの寸法に相等し、バチ衿型に形成された地衿と地衿カバーとの隙間に挿入可能な最大の幅である6cm〜7.7cmもしくは6.5cm〜7.0cmとなる。
【００２６】
又、衿芯全体の形状は、衿肩まわりに位置する部分は添いやすい様に少し湾曲しているが、
均一幅で形成されていて、そこから底辺部に向かって、なだらかな流線型を描いて広がっている。先入部分も後入部も挿入しやすく、又、挿入後の違和感がない様に、丸身を帯び
ていて衿と同型のゆるやかなバチ衿型形状となる。
【００２７】
本発明のバチ衿型形状の２枚組衿芯の素材としては、合成樹脂薄板、セルロイド薄板、プラスチック薄板、その他の材質で、衿の形状に合わせて湾曲することが必要であるため、適度の柔軟性を有する必要がある。柔軟性の程度は和装下着の着用時や脱ぎ着の際に不便とならない程度であれば良く、適度の腰と弾性を持つ従来の衿芯と同じ素材が良い。
【００２８】
以下、実施例により、本発明の後入れ用のバチ衿型形状の衿芯について、詳細に説明する。
【実施例１】
【００２９】
和服を着用時に和服の衿元から衿山線上部分が見える和装下着には、次の様な物がある。
長襦袢、衿付肌襦袢、簡易和装長襦袢、付け衿等があるが、一般的な長襦袢の衿での実施
例を示す。
【００３０】
図1は和服１着用時の和服の衿元1aと、下着として着用している長襦袢3の衿山線部2aであり、この2枚の衿合わせは顔の一番近くにあり注目され、又、着付けの要ともなる部分である。長襦袢の衿山線2aは首の真横で和服衿山線部1aと同じ高さであり、前方の衿合わせに向かって若干の巾2bがでている。この若干の巾2bは1.5cm〜2.5cmであり、左右対称の同じ幅で形成され、又、衿合わせの角度2cは65度〜90度が良く、より好もしくは75度〜85度が一番美しいとされているが、年齢により角度は左右される。若い方が振り袖を着る場合の衿合わせ角度2cは80度〜85度が良い、若干の幅2bは広くして、かわいらしさや初々しさを出し、年配の方の衿合わせ角度2bは鋭角になってゆき、若干の幅2bも狭くして落ち着きを出す。
【００３２】
又、図3は本発明のバチ衿型2枚組の衿芯7を地衿と半衿の隙間に挿入する場合、左右の衿芯挿入口の2方向から挿入し、それぞれの衿芯先入部分7eが背中心3xを通過して、相対する衿肩回りまでに至り、二枚重ねの二重構造となる。衿底辺部は衿型と同形状であり、つまりは地衿と半衿との隙間の形状が同じなので、より確実に固定され、衿5の衿山線上2aのみならず、衿5全体が適度な硬さを有し張りのある、着崩れにくい和装下着の衿となる。
【００３３】
そして、この場合も半衿4の掛け方や素材にも全く関係なく美しい衿5が継続できる。
【００３４】
又、本発明のバチ衿型2枚組衿芯7は従来の衿構造の衿表部分と半衿との隙間に挿入して使用する事も可能であるので、何の差しさわりもなく対応でき、便利である。
【図面の簡単な説明】
【００３５】
【図１】和服着用時の和服の衿と、長襦袢の衿の状態である。
【図２】和装下着の地衿と半衿の隙間に、従来の衿芯を挿入した状態である。
【図３】図2同様に、和装下着の地衿と半衿の隙間に、本発明のバチ衿型形状の2枚組み衿芯を挿入した状態である                                            
【図４】本発明の衿芯を挿入した和装下着を着用した姿である。
【図５】従来の衿芯の形状図である。
【図６】本発明のバチ衿型形状の2枚組みの衿芯である。
【符号の説明】
【００３６】
1    和服
1ａ  和服の衿元
2ａ  長襦袢の衿山線
2ｂ  若干の巾
2ｃ  衿合わせ角度
3    長襦袢    
3x   長襦袢背中心
4    半衿
4a  半衿の左衿芯挿入口」
4b  半衿の右衿芯挿入口
4c  半衿の衿先幅
5  和装下着の地衿 
6  従来の衿芯
6x    従来の衿芯の均一幅
7    本発明のバチ衿型形状の2枚組衿芯
【図１】
0004979028.tif 000002
【図３】
0004979028.tif 000003
【図４】
0004979028.tif 000004
【図５】
0004979028.tif 000005
【図６】
0004979028.tif 000006
【図２】
0004979028.tif 000007